(57)【特許請求の範囲】
【請求項１】
硬質媒体の表面に接触させて音響を発生させる共振ポータブル音響であって、
上蓋、下蓋及び下蓋内に据え付けられた共振音響ジェネレーターと制御回路基板を含み、上記上蓋にスピーカーが据え付けられた共振ポータブル音響であって、一端が上蓋に接続し、もう一端が下蓋と回転可能に接続した、ブロー成形されたスプリングを含み、上記の上蓋の内壁にクリップを設け、下蓋の上記クリップの対応位置にクリップ溝を設け、
上記の共振音響ジェネレーターが上と下にそれぞれ台座に対して上下に動く第一振動導体と第二振動導体を設けてなる台座、コイルブッシュに設けられ、その上に磁性導体を設けてなる磁性体、ラウンドコイルを含み、上記の第一振動導体にコイルブッシュを接続し、ラウンドコイルがコイルブッシュに設けられており、
上記の第一振動導体及び第二振動導体の振動を、上記の第二振動導体を通じて上記の硬質媒体に伝えることを特徴とする共振ポータブル音響。
【請求項２】
上記の下蓋に制御回路基板と接続されたオーディオ入力ソケット、電源ソケット、スイッチを設けていることを特徴とする請求項１に記載の共振ポータブル音響。
【請求項３】
上記の第二振動導体が下蓋の外に出ていることを特徴とする請求項１又は２に記載の共振ポータブル音響。
【請求項４】
上記の第二振動導体にゴムの下敷きを設けていることを特徴とする請求項１乃至３のいずれか１項に記載の共振ポータブル音響。
【請求項５】
上記の上蓋に音伝導穴を設けていることを特徴とする請求項１乃至４のいずれか１項に記載の共振ポータブル音響。
【発明の詳細な説明】
【技術分野】
【０００１】
本発明は音響装置に関し、特に共振ポータブル音響に関するものである。
【背景技術】
【０００２】
ここ数年来、市場では人々が伝統的な音響概念に対する認識を転換する共振音響が出た。このような共振音響の音響システムには、振動膜がなく、共振の原理を利用して、オーディオの信号をオーディオの機械振動に転化し、それに接触するいかなる硬質のものにも出力して、当該硬質のものを発声媒体として音響させる。その音はやさしく、均一で、指向性がなく、360°を呈す。そして、ラウンドで音響して、しかも異なる音響媒体によって異なる音色の効果を出すことができる。共振音響は体積が小さくて、気の向くままに置くことができ、コンピュータ、MP3、MP4、MD、CD、DVD プレーヤー、携帯電話などの音源設備と接続するだけで、日常生活の中のテーブル、扉、窓、床板などの硬質のものを天然音響にすることができる。しかし、現状の共振音響はスピーカーシステムと結合することができず、単純な共振音響だけで、音域がわりに小さく、その高音がよくなく、一定の欠陥がある。小さい体積の伝統的な音響はその室が小さいので、低音の効果がよくなく、音色が調整不能で、その全体的な音響効果は大多数の若い消費者の要求を満たすことができない。
【発明の概要】
【発明が解決しようとする課題】
【０００３】
本発明の目的は効果的に上記の欠陥を克服して、音域が広くて、音効が更に良い共振ポータブル音響を提供するのである。
【課題を解決するための手段】
【０００４】
本発明は、スピーカーを据え付けた上蓋、下蓋及び下蓋内に据え付けられた共振音響ジェネレーターと制御回路基板を含み、その特徴として、一端が上蓋に接続し、もう一端が下蓋と回転可能に接続した、ブロー成形されたとスプリングを含み、上記の上蓋の内壁にクリップを設けて、下蓋の上記クリップの対応位置にクリップスロットを設けているのである。
【０００５】
上記の構造において、上記の共振音響ジェネレーターが上と下にそれぞれ台座に対して上下に動く第一振動導体と第二振動導体を設けている台座、コイルプッシュに設けられ、その上に磁性導体を設けている磁性体、コイルを含み、上記の第一振動導体にコイルブッシュが接続され、コイルがコイルブッシュに設けられている。
【０００６】
上記の構造では、上記の下蓋に制御回路基板と接続されるオーディオ入力ソケット、電源ソケット、スイッチを設けている。
【０００７】
上記の構造では、第二振動導体が下蓋から出ている。
【０００８】
上記の構造では、第二振動導体にゴムの下敷きを設けている。
【０００９】
上記の構造では、上記の上蓋に音伝導穴を設けている。
【発明の効果】
【００１０】
本発明の有利な効果として、１）本発明の共振ポータブル音響は共振音響とスピーカーをブロー成形されたスプリング経由で接続して、単一の共振音響や伝統的な小さい音響の音効が悪いことと音域が小さいことなどの欠陥を改良し、その構造の中の共振音響ジェネレーターに第一振動導体と第二振動導体を設けて、使用時、当該共振ポータブル音響のオーディオ入力端を音源設備と接続して、給電電源と電源ソケットを接続して、変換された音楽の信号が制御回路基板で処理された後に、ラウンドコイルに入り、ラウンドコイルで変化磁場を生んで、第一振動導体と第二振動導体が変化された磁場の作用で振動し、このような振動のエネルギーが硬質媒体の表面に伝わって、異なる音色の音楽を出すことができ、大変良い音色の効果を持って、使用者が快適な音楽を楽しむことができる。２）当構造の第二振動導体にゴムの下敷きを設けており、効果的に振動中に発生した雑音を防止することができ、更に音効を高める。３）使用時、ブロー成形スプリングを圧縮して、上蓋と下蓋を合わせて、普通の音響として使うことができ、使用が柔軟的である。４）当該共振ポータブル音響は体積が小さくて、使用が便利で、とても良い低音の効果を持つので、若い消費者のニーズを満たすことができる。
【発明を実施するための形態】
【００１１】
次には添付図と実施例を結び付けて本発明を更に説明する
【００１２】
図1〜図3に示すように、本発明は共振ポータブル音響に関し、それがスピーカー4を据え付けた上蓋1、下蓋2及び下蓋内に据え付けられた共振音響ジェネレーター3と制御回路基板を含み、ブロー成形スプリング5の一端が上蓋1に接続し、もう一端が下蓋2と回転可能に接続し、ブロー成形スプリング5が下蓋2に対して一定の角度に回転できる。上蓋１の内壁にクリップ6を設け、下蓋2の上記クリップ6の対応位置にクリップスロット7を設け、上蓋1を下に押さえて、ブロー成形スプリング5を圧縮し、更に上蓋1を一定の角度に回転して、上蓋1の内壁のクリップ6と下蓋2内のクリップスロット7を合わせて、上蓋1と下蓋2を合わせた状態になる（図3）。この状態で共振ポータブル音響を使うと、その効果は普通の音響に相当し、明らかな共振効果がない。
【００１３】
本発明の構造の共振音響ジェネレーター3は上と下にそれぞれ上下に動く第一振動導体10と第二振動導体11を設けている台座8、コイルプッシュ17が設けられ、その上に磁性導体（未図示）を設けている磁性体（未図示）、ラウンドコイル9を含み、上記の第一振動導体10にコイルブッシュ17を接続して、ラウンドコイル9がコイルブッシュ17に設けられている。第二振動導体11が下蓋2に出て、しかも第二振動導体にゴムの下敷き12を設け、効果的に振動中に発生した雑音を防止することができ、更に音効を高めることができる。また、下蓋2に制御回路基板と接続されているオーディオ入力ソケット15、電源ソケット13、スイッチ14を設けている。上蓋1に音伝導穴16を設けている。
【００１４】
作業の安定性を高めるために、本実施例の上蓋1、下蓋2、共振音響ジェネレーター3の磁性体、台座2、第一振動導体10と第二振動導体11の軸線が重なり合っている。
【００１５】
使用時、良い共振の効果を達成するために、上蓋1を一定の角度に回転して上蓋1と下蓋2の合わせた状態を解除して、上蓋1と下蓋2をブロー成形スプリング5の作用で開けた状態にし（図2）、当該共振ポータブル音響のオーディオ入力端15を音源設備に接続して、給電電源と電源ソケット13を接続し、転換された音楽の信号が制御回路基板に処理された後に、ラウンドコイル9に入って、ラウンドコイル9で変化の磁場を生んで、第一振動導体10と第二振動導体11が変化の磁場の作用で振動を生み、このような振動のエネルギーが硬質媒体の表面に伝わって、異なる音色の音楽を出すことができ、とても良い音色の効果を持つので、使用者は快適な音楽を楽しむことができる。
【００１６】
以上に述べられたのは本発明の比較的好ましい実施例だけであるが、本発明に対する制限ではない。本発明の技術思想の範疇で、各種類の変化と修正をすることができるが、当分野の普通の技術者が上記の説明によって行った修正、改正や相当な交換は全て本発明の保護範囲とする。
【図面の簡単な説明】
【００１７】
【図１】図1は本発明の分解説明図である。
【図２】図2は本発明の上蓋と下蓋を開けた状態での構造説明図である。
【図３】図3は本発明の上蓋と下蓋を合わせた状態での構造説明図である。
【符号の説明】
【００１８】
1、上蓋  
2、下蓋  
3、共振音響ジェネレーター  
4、スピーカー  
5、ブロー成形スプリング  
6、クリップ  
7、クリップスロット  
8、台座  
9、ラウンドコイル  
10、第一振動導体  
11、第二振動導体  
12、ゴムの下敷き  
13、電源ソケット 
14、スイッチ  
15、オーディオ入力ソケット  
16、音伝導穴  
17、コイルソケット。
【図１】
0005894665.tif 000002
【図２】
0005894665.tif 000003
【図３】
0005894665.tif 000004
【図４】
0005894665.tif 000005